(57)【特許請求の範囲】
【請求項１】
光源および該光源の前方に配置された透光板を備えた照明ユニットにおいて、
上記照明ユニットは、車両用灯具であって、ランプボディと透明のアウターカバーとで形成される灯室内に上記光源と上記透光板とが収容された構成となっており、
上記光源は、発光ダイオードであり、
上記透光板の表面に、錐面部を有する複数の突起部が形成されており、
上記複数の突起部は、上記表面上において互いに交差する複数の方向に連続的に形成されており、
上記各方向における上記各突起部相互間の境界部分が、凹曲線状または凹多角形状の断面形状を有している、ことを特徴とする照明ユニット。
【請求項２】
上記各突起部の底面の外接円の直径が、１ｍｍ以下の値に設定されており、
上記各境界部分の幅が、上記直径に対して０．０１〜１倍の値に設定されている、ことを特徴とする請求項１記載の照明ユニット。
【請求項３】
上記各境界部分が半径０．００００３〜１ｍｍの凹曲線状の断面形状を有している、ことを特徴とする請求項１または２記載の照明ユニット。
【請求項４】
光源と該光源の前方に配置された透光板とを備えた照明ユニットにおいて、
上記照明ユニットは、車両用灯具であって、ランプボディと透明のアウターカバーとで形成される灯室内に上記光源と上記透光板とが収容された構成となっており、
上記光源は、発光ダイオードであり、
上記透光板の表面に、角錐面部を有する複数の突起部が形成されており、
上記複数の突起部は、上記表面上において互いに交差する複数の方向に連続的に形成されており、
上記各突起部における各角錐面部相互間の稜線部分の少なくとも一部が、凸曲線状または凸多角形状の断面形状を有している、ことを特徴とする照明ユニット。
【発明の詳細な説明】
【技術分野】
【０００１】
本願発明は、光源およびその前方に配置された透光板を備えた照明ユニットに関するものである。
【背景技術】
【０００２】
従来より、光源の前方に透光板が配置された照明ユニットの構成として、透光板の表面に複数の突起部が連続的に形成されたものが知られている。
【０００３】
「特許文献１」には、このような照明ユニットにおいて、その透光板に形成された各突起部の構成として錐面部を有するものが記載されている。
【先行技術文献】
【特許文献】
【０００４】
【特許文献１】特開２００８−２０１１０３号公報
【発明の概要】
【発明が解決しようとする課題】
【０００５】
このような照明ユニットにおいて、錐面部を有する複数の突起部が互いに交差する複数の方向に連続的に形成された構成とすれば、点灯状態にある照明ユニットの透光板を前方から観察したとき、各突起部の錐面部の向きに応じた複数箇所が明るく光って見えるようにすることができる。
【０００６】
しかしながら、このような構成を採用したとしても、複数の突起部が各方向毎にその錐面部同士を交差させた状態で配置されている場合には、透光板の複数箇所がスポット状に光って見えるにとどまり、点灯時の見え方に斬新性を持たせることは困難である。
【０００７】
本願発明は、このような事情に鑑みてなされたものであって、光源およびその前方に配置された透光板を備えた照明ユニットにおいて、点灯時の見え方に斬新性を持たせることができる照明ユニットを提供することを目的とするものである。
【課題を解決するための手段】
【０００８】
本願発明は、透光板の構成に工夫を施すことにより、上記目的達成を図るようにしたものである。
【０００９】
すなわち、本願第１の発明に係る照明ユニットは、
光源および該光源の前方に配置された透光板を備えた照明ユニットにおいて、
上記照明ユニットは、車両用灯具であって、ランプボディと透明のアウターカバーとで形成される灯室内に上記光源と上記透光板とが収容された構成となっており、
上記光源は、発光ダイオードであり、
上記透光板の表面に、錐面部を有する複数の突起部が形成されており、
上記複数の突起部は、上記表面上において互いに交差する複数の方向に連続的に形成されており、
上記各方向における上記各突起部相互間の境界部分が、凹曲線状または凹多角形状の断面形状を有している、ことを特徴とするものである。
【００１０】
また、本願第２の発明に係る照明ユニットは、
光源と該光源の前方に配置された透光板とを備えた照明ユニットにおいて、
上記照明ユニットは、車両用灯具であって、ランプボディと透明のアウターカバーとで形成される灯室内に上記光源と上記透光板とが収容された構成となっており、
上記光源は、発光ダイオードであり、
上記透光板の表面に、角錐面部を有する複数の突起部が形成されており、
上記複数の突起部は、上記表面上において互いに交差する複数の方向に連続的に形成されており、
上記各突起部における各角錐面部相互間の稜線部分の少なくとも一部が、凸曲線状または凸多角形状の断面形状を有している、ことを特徴とするものである。
【００１２】
上記透光板の「表面」は、透光板の前面であってよいし後面であってもよい。
【００１３】
本願第１の発明における「突起部」は、錐面部を有するものであれば、その具体的な形状は特に限定されるものではなく、例えば、三角錐、四角錐、円錐、楕円錐等の錐面の全体またはその一部が採用可能である。
【００１４】
上記「凹曲線状または凹多角形状の断面形状」の具体的な形状は特に限定されるものではなく、単一の曲線で構成されたもの、複数の曲線で構成されたもの、複数の直線で構成されたもの、単一または複数の曲線と単一または複数の直線で構成されたものが採用可能である。上記「凸曲線状または凸多角形状の断面形状」についても同様である。
【発明の効果】
【００１５】
本願第１の発明に係る照明ユニットは、透光板の表面に、錐面部を有する複数の突起部が形成された構成となっているが、これら複数の突起部は上記表面上において互いに交差する複数の方向に連続的に形成されているので、点灯状態にある照明ユニットの透光板を前方から観察したとき、各突起部の錐面部の向きに応じた複数箇所（または１箇所）がスポット状（またはリング状）に明るく光って見えるようにすることができる。
【００１６】
その上で、上記各方向における各突起部相互間の境界部分が凹曲線状または凹多角形状の断面形状を有していることにより、この境界部分において光源からの光を上記各方向に拡散させることができる。したがって、点灯状態にある照明ユニットの透光板を前方から観察したとき、複数箇所（または１箇所）がスポット状（またはリング状）に明るく光って見えるだけでなく、これらを結ぶ帯状領域が光って見えるようにすることができる。そしてこれにより点灯時の見え方に斬新性を持たせることができる。
【００１７】
このように本願第１の発明によれば、光源およびその前方に配置された透光板を備えた照明ユニットにおいて、点灯時の見え方に斬新性を持たせることができる。
【００１８】
上記構成において、各突起部の底面の外接円の直径が１ｍｍ以下の値に設定された構成とすれば、上記各方向毎に数多くの突起部およびその境界部分が形成された構成とすることが容易に可能となる。そしてこれにより、各スポット状領域（またはリング状領域）および各帯状領域がそれぞれ均一に光って見えるようにすることができる。
【００１９】
このようにした場合において、各境界部分の幅が各突起部の底面の外接円の直径に対して０．０１〜１倍の値に設定された構成とすれば、各スポット状領域（またはリング状領域）の明るさを十分に確保した上で、各帯状領域が適度な明るさで光って見えるようにすることができる。
【００２０】
上記構成において、境界部分が半径０．００００３〜１ｍｍの凹曲線状の断面形状を有する構成とすれば、各スポット状領域（またはリング状領域）の明るさの大小にかかわらず、各帯状領域が適度な明るさで光って見えるようにすることができる。その際、上記半径を０．００１〜０．５ｍｍとすることが、分光現象の発生させないようにした上で適度な明るさで光って見えるようにする観点から好ましい。
【００２１】
一方、本願第２の発明に係る照明ユニットは、透光板の表面に、角錐面部を有する複数の突起部が形成された構成となっているが、これら複数の突起部は上記表面上において互いに交差する複数の方向に連続的に形成されているので、点灯状態にある照明ユニットの透光板を前方から観察したとき、各突起部の錐面部の向きに応じた複数箇所がスポット状に明るく光って見えるようにすることができる。
【００２２】
その上で、各突起部における各角錐面部相互間の稜線部分の少なくとも一部が凸曲線状または凸多角形状の断面形状を有していることにより、この稜線部分の少なくとも一部において光源からの光を上記各方向と交差する方向に拡散させることができる。したがって、点灯状態にある照明ユニットの透光板を前方から観察したとき、複数箇所がスポット状に明るく光って見えるだけでなく、これらを結ぶ帯状領域が光って見えるようにすることができる。そしてこれにより点灯時の見え方に斬新性を持たせることができる。
【００２３】
なお、本願第１の発明の構成と本願第２の発明の構成とを組み合わせることも可能である。このようにした場合には、点灯状態にある照明ユニットの透光板を前方から観察したとき、複数箇所がスポット状に明るく光って見えるだけでなく、これらを結ぶ２種類の帯状領域が互いに交差する方向に延びた状態で光って見えるようにすることができる。そしてこれにより点灯時の見え方に一層の斬新性を持たせることができる。
【図面の簡単な説明】
【００２４】
【図１】本願発明の第１実施形態に係る照明ユニットを示す側断面図
【図２】図１のII部詳細図
【図３】図２のIII 方向矢視図
【図４】図２のIV部詳細図
【図５】図４のＶ方向矢視図
【図６】図５のVI−VI線断面斜視図
【図７】上記照明ユニットを点灯状態で示す正面図
【図８】上記第１実施形態の２つの変形例を示す要部側断面図
【図９】本願発明の第２実施形態を示す、図５と同様の図
【図１０】図９のＸ−Ｘ線断面斜視図
【図１１】上記第２実施形態に係る照明ユニットを点灯状態で示す正面図
【図１２】本願発明の第３実施形態を示す、図５と同様の図
【図１３】上記第３実施形態の突起部を取り出して示す斜視図
【図１４】上記第３実施形態に係る照明ユニットを点灯状態で示す正面図
【図１５】本願発明の第４実施形態を示す、図４と同様の図
【図１６】図１５のXVI 方向矢視図
【図１７】上記第４実施形態に係る照明ユニットを点灯状態で示す正面図
【図１８】（ａ）は上記第４実施形態の変形例を示す要部斜視図、（ｂ）は該変形例に係る照明ユニットを点灯状態で示す正面図
【図１９】（ａ）は上記第４実施形態の他の変形例を示す要部斜視図、（ｂ）は該変形例に係る照明ユニットを点灯状態で示す正面図
【図２０】本願発明の第５実施形態に係る照明ユニットを示す側断面図
【図２１】図２０のXXI 部詳細図
【発明を実施するための形態】
【００２５】
以下、図面を用いて、本願発明の実施の形態について説明する。
【００２６】
まず、本願発明の第１実施形態について説明する。
【００２７】
図１は、本実施形態に係る照明ユニット１０を示す側断面図である。
【００２８】
同図に示すように、本実施形態に係る照明ユニット１０は、車両後部に配置されるテールランプであって、ランプボディ１２と赤色透明のアウターカバー１４とで形成される灯室内に発光素子２０と透光板３０とが収容された構成となっている。
【００２９】
発光素子２０は、赤色発光ダイオードであって、基板２２に搭載された状態で灯具前方（車両としては後方）へ向けて配置されている。この基板２２はランプボディ１２に支持されている。
【００３０】
透光板３０は、無色透明の薄板状の合成樹脂成形品であって、発光素子２０の前方において、その発光中心を通るようにして灯具前後方向に延びる軸線Ａｘと直交する平面に沿って配置されている。この透光板３０の後面３０ｂは平面状に形成されているが、その前面３０ａには複数の突起部３２が形成されている。この透光板３０は、その周縁部においてランプボディ１２に支持されている。
【００３１】
灯室内における透光板３０の前方側には、該透光板３０の周縁部を覆うホルダ１６が配置されている。このホルダ１６は、透光板３０の周縁部に当接した状態で該透光板３０をランプボディ１２とで挟み込むようになっている。
【００３２】
次に、透光板３０の具体的な構成について説明する。
【００３３】
図２は、図１のII部詳細図である。また、図３は、図２のIII 方向矢視図であり、図４は、図２のIV部詳細図である。さらに、図５は、図４のＶ方向矢視図であり、図６は、図５のVI−VI線断面斜視図である。
【００３４】
これらの図に示すように、複数の突起部３２は、透光板３０の前面３０ａにおいて、互いに交差する複数の方向に連続的に形成されている。
【００３５】
具体的には、これら複数の突起部３２は、３つの角錐面部３２ａを有する正三角錐状に形成されている。そして、これら複数の突起部３２は、互いに角錐面部３２ａを向き合わせた状態で隣接する１対の突起部３２を一単位として、水平方向および水平方向に対して６０°の交角で延びる斜め２方向に連続的に形成されている。
【００３６】
また、これら複数の突起部３２が延びる３方向の各々における各突起部３２相互間の境界部分３４は、凹曲線状の断面形状（具体的には単一の円弧状の断面形状）を有している。
【００３７】
なお、図５に示すように、以下においては、必要に応じて、上記１対の突起部３２のうち、底面の外形形状が上向き正三角形の突起部３２を突起部３２Ａ、下向き正三角形の突起部３２を突起部３２Ｂとして説明する。
【００３８】
また、必要に応じて、上向き正三角形の突起部３２Ａにおいては、下向きの角錐面部３２ａを角錐面部３２Ａａ１、正面視において左上向きの角錐面部３２ａを角錐面部３２Ａａ２、正面視において右上向きの角錐面部３２ａを角錐面部３２Ａａ３として説明し、また、下向き正三角形の突起部３２Ｂにおいては、上向きの角錐面部３２ａを角錐面部３２Ｂａ１、正面視において左下向きの角錐面部３２ａを角錐面部３２Ｂａ２、正面視において右下向きの角錐面部３２ａを角錐面部３２Ｂａ３として説明する。
【００３９】
さらに、必要に応じて、水平方向に延びる境界部分３４を境界部分３４Ａ、左上から右下に延びる境界部分３４を境界部分３４Ｂ、右上から左下に延びる境界部分３４を境界部分３４Ｃとして説明する。
【００４０】
各突起部３２は、その底面（図５において３本の２点鎖線で囲まれた部分）の外接円Ｃ１の直径Ｄ１が１ｍｍ以下の値（例えば０．５ｍｍ程度）に設定されている。
【００４１】
各境界部分３４は、その幅Ｗ１が直径Ｄ１に対して０．０１〜１倍（例えば０．０５倍程度）に設定されている。また、これら各境界部分３４は、その凹曲線状の断面形状を構成している円弧の半径Ｒ１が０．００１〜０．５ｍｍの値（例えば０．０３ｍｍ程度）に設定されている。
【００４２】
図１および２に示すように、発光素子２０から斜め上向きに出射して透光板３０に到達した光のうち、軸線Ａｘと所定角度θ１をなす方向に出射した光は、透光板３０に対してその後面３０ｂで前方側へ屈折するようにして入射した後、突起部３２Ｂにおける上向きの角錐面部３２Ｂａ１で前方側へさらに屈折して正面方向（すなわち軸線Ａｘと平行な方向）へ向けて出射する。その際、所定角度θ１の値は、角錐面部３２Ａａ１の傾斜角度に応じた値となる。
【００４３】
この突起部３２Ｂに対して上下両側に隣接する各突起部３２Ｂからの出射光も略正面方向へ出射し、さらにその上下両側に隣接する各突起部３２Ｂからの出射光も略正面方向へ出射するが、上下方向に一定値程度以上離れた突起部３２Ｂからの出射光の向きは正面方向から上下方向に大きく外れたものとなる。このため、発光素子２０から斜め上向きに出射した光のうち所定角度θ１（またはこれに近い角度）で出射したのみが、透光板３０から正面方向（またはこれに近い方向）へ出射することとなる。
【００４４】
同様に、発光素子２０から斜め下向きに所定角度θ１で出射して透光板３０に到達した光は、突起部３２Ａにおける下向きの角錐面部３２Ａａ１から正面方向へ出射する。そして、発光素子２０から斜め下向きに出射した光のうち所定角度θ１（またはこれに近い角度）で出射したのみが、透光板３０から正面方向（またはこれに近い方向）へ出射することとなる。
【００４５】
また、発光素子２０から、正面視において左斜め３０°上向き、右斜め３０°上向き、左斜め３０°下向き、右斜め３０°下向きの各方向に出射した光についても、所定角度θ１（またはこれに近い角度）で出射した光は、透光板３０から正面方向（またはこれに近い方向）へ出射することとなる。
【００４６】
一方、発光素子２０から透光板３０に到達した光のうち、各突起部３２相互間の境界部分３４から出射する光は、該境界部分３４において正面方向に対して該境界部分３４が延びる方向と直交する方向に拡散する光として前方へ向けて出射することとなる。
【００４７】
図７は、照明ユニット１０を点灯状態で示す正面図である。
【００４８】
同図に示すように、透光板３０は、６箇所のスポット状領域Ｂ１ａ、Ｂ２ａ、Ｂ３ａ、Ｂ１ｂ、Ｂ２ｂ、Ｂ３ｂが明るく光って見え、また、これら６箇所のスポット状領域Ｂ１ａ、Ｂ２ａ、Ｂ３ａ、Ｂ１ｂ、Ｂ２ｂ、Ｂ３ｂを２箇所ずつ結ぶ３つの帯状領域Ｂ４ａ、Ｂ４ｂ、Ｂ４ｃも光って見える。
【００４９】
その際、６箇所のスポット状領域Ｂ１ａ、Ｂ２ａ、Ｂ３ａ、Ｂ１ｂ、Ｂ２ｂ、Ｂ３ｂは、軸線Ａｘを中心とする同一円周上に等角度間隔で形成され、３つの帯状領域Ｂ４ａ、Ｂ４ｂ、Ｂ４ｃは、軸線Ａｘの位置を通るようにして放射状に形成される。
【００５０】
３箇所のスポット状領域Ｂ１ａ、Ｂ２ａ、Ｂ３ａは、軸線Ａｘを含む平面上において所定角度θ１をなす方向に位置する突起部３２Ａおよびその近傍に位置する突起部３２Ａの角錐面部３２Ａａ１、３２Ａａ２、３２Ａａ３からの出射光によってそれぞれ形成され、３箇所のスポット状領域Ｂ１ｂ、Ｂ２ｂ、Ｂ３ｂは、軸線Ａｘを含む平面上において、残り所定角度θ１をなす方向に位置する突起部３２Ｂおよびその近傍に位置する突起部３２Ｂの角錐面部３２Ｂａ１、３２Ｂａ２、３２Ｂａ３からの出射光によってそれぞれ形成される。
【００５１】
軸線Ａｘの真上および真下に位置するスポット状領域Ｂ１ａ、Ｂ１ｂを結ぶ帯状領域Ｂ４ａは、水平方向に延びる境界部分３４から出射する拡散光によって形成され、軸線Ａｘの右上および左下に位置するスポット状領域Ｂ３ａ、Ｂ２ｂを結ぶ帯状領域Ｂ４ｂは、左上から右下に延びる境界部分３４Ｂから出射する拡散光によって形成され、軸線Ａｘの左上および右下に位置するスポット状領域Ｂ２ａ、Ｂ３ｂを結ぶ帯状領域Ｂ４ｃは、右上から左下に延びる境界部分３４Ｃから出射する拡散光によって形成される。
【００５２】
次に、本実施形態の作用効果について説明する。
【００５３】
本実施形態に係る照明ユニット１０は、透光板３０の前面３０ａに、角錐面部３２ａを有する複数の突起部３２が形成された構成となっているが、これら複数の突起部３２は前面３０ａ上において互いに交差する複数の方向に連続的に形成されているので、点灯状態にある照明ユニット１０の透光板３０を前方から観察したとき、各突起部３２の角錐面部３２ａの向きに応じた複数箇所がスポット状に明るく光って見えるようにすることができる。
【００５４】
その上で、本実施形態においては、上記各方向における各突起部３２相互間の境界部分３４が凹曲線状の断面形状を有しているので、この境界部分３４において光源としての発光素子２０からの光を上記各方向に拡散させることができる。したがって、点灯状態にある照明ユニット１０の透光板３０を前方から観察したとき、複数箇所がスポット状領域Ｂ１ａ、Ｂ２ａ、Ｂ３ａ、Ｂ１ｂ、Ｂ２ｂ、Ｂ３ｂとして明るく光って見えるだけでなく、これらを結ぶ帯状領域Ｂ４ａ、Ｂ４ｂ、Ｂ４ｃも光って見えるようにすることができる。そしてこれにより点灯時の見え方に斬新性を持たせることができる。
【００５５】
このように本実施形態によれば、発光素子２０およびその前方に配置された透光板３０を備えた照明ユニット１０において、点灯時の見え方に斬新性を持たせることができる。
【００５６】
その際、本実施形態においては、各突起部３２の底面の外接円Ｃ１の直径Ｄ１が１ｍｍ以下の値に設定されているので、上記各方向毎に数多くの突起部３２およびその境界部分３４が形成された構成とすることができ、これにより各スポット状領域Ｂ１ａ、Ｂ２ａ、Ｂ３ａ、Ｂ１ｂ、Ｂ２ｂ、Ｂ３ｂおよび各帯状領域Ｂ４ａ、Ｂ４ｂ、Ｂ４ｃがそれぞれ均一に光って見えるようにすることができる。
【００５７】
また本実施形態においては、各境界部分３４の幅Ｗ１が各突起部３２の底面の外接円Ｃ１の直径Ｄ１に対して０．０１〜１倍の値に設定されているので、各スポット状領域Ｂ１ａ、Ｂ２ａ、Ｂ３ａ、Ｂ１ｂ、Ｂ２ｂ、Ｂ３ｂの明るさを十分に確保した上で、各帯状領域Ｂ４ａ、Ｂ４ｂ、Ｂ４ｃが適度な明るさで光って見えるようにすることができる。
【００５８】
さらに本実施形態においては、各境界部分３４が半径０．００１〜０．５ｍｍの円弧状の断面形状を有しているので、各スポット状領域Ｂ１ａ、Ｂ２ａ、Ｂ３ａ、Ｂ１ｂ、Ｂ２ｂ、Ｂ３ｂの明るさの大小にかかわらず、分光現象の発生させないようにした上で各帯状領域Ｂ４ａ、Ｂ４ｂ、Ｂ４ｃが適度な明るさで光って見えるようにすることができる。
【００５９】
上記第１実施形態においては、各境界部分３４が半径０．００１〜０．５ｍｍの円弧状の断面形状を有しているものとして説明したが、半径Ｒの範囲を０．００００３〜１ｍｍとした場合においても各帯状領域Ｂ４ａ、Ｂ４ｂ、Ｂ４ｃが適度な明るさで光って見えるようにすることができる。
【００６０】
上記第１実施形態においては、各境界部分３４が単一の円弧状の断面形状を有しているものとして説明したが、図８（ａ）に示すように複数の直線Ｌにより凹多角形状に形成された構成や、図８（ｂ）に示すように直線Ｌと曲線Ｃとによって全体として凹曲線状に形成された構成とした場合においても、各境界部分３４からの出射光を該境界部分３４が延びる方向と直交する方向に拡散する光として前方へ向けて出射させることができ、これにより上記第１実施形態と略同様の作用効果を得ることができる。
【００６１】
上記第１実施形態においては、照明ユニット１０がテールランプである場合について説明したが、車両に設けられる箇所や機能にかかわらず、上記第１実施形態と同様の構成を採用することにより上記第１実施形態と同様の作用効果を得ることができる。また、照明ユニット１０を車両用灯具以外の用途に用いることも可能である。
【００６２】
次に、本願発明の第２実施形態について説明する。
【００６３】
図９は、本実施形態に係る照明ユニットの透光板１３０を示す、図５と同様の図であり、図１０は、図９のＸ−Ｘ線断面斜視図である。
【００６４】
これらの図に示すように、本実施形態に係る透光板１３０も、その基本的な構成は上記第１実施形態の場合と同様であるが、各突起部１３２における各角錐面部１３２ａ相互間の稜線部分１３２ｂが凸曲線状の断面形状（具体的には単一の円弧状の断面形状）を有している。
【００６５】
発光素子２０から透光板１３０に到達した光のうち、各突起部１３２における各角錐面部１３２ａ相互間の稜線部分１３２ｂから出射する光は、該稜線部分１３２ｂにおいて正面方向に対して該稜線部分１３２ｂが延びる方向と直交する方向に拡散する光として前方へ向けて出射することとなる。
【００６６】
図１１は、本実施形態に係る照明ユニット１１０を点灯状態で示す正面図である。
【００６７】
同図に示すように、透光板１３０は、上記第１実施形態の透光板３０と同様、６箇所のスポット状領域Ｂ１ａ、Ｂ２ａ、Ｂ３ａ、Ｂ１ｂ、Ｂ２ｂ、Ｂ３ｂが明るく光って見え、また、これら６箇所のスポット状領域Ｂ１ａ、Ｂ２ａ、Ｂ３ａ、Ｂ１ｂ、Ｂ２ｂ、Ｂ３ｂを２箇所ずつ結ぶ３つの帯状領域Ｂ４ａ、Ｂ４ｂ、Ｂ４ｃも光って見えるが、さらに、３つの帯状領域Ｂ４ａ、Ｂ４ｂ、Ｂ４ｃと直交するようにして６箇所のスポット状領域Ｂ１ａ、Ｂ２ａ、Ｂ３ａ、Ｂ１ｂ、Ｂ２ｂ、Ｂ３ｂを２箇所ずつ結ぶ６つの帯状領域Ｂ５ａ、Ｂ５ｂ、Ｂ５ｃ、Ｂ５ｄ、Ｂ５ｅ、Ｂ５ｆも光って見える。
【００６８】
軸線Ａｘの左下および右下に位置するスポット状領域Ｂ２ｂ、Ｂ３ｂを結ぶ帯状領域Ｂ５ａは、突起部１３２Ｂの角錐面部１３２Ｂａ２、１３２Ｂａ３間において上下方向に延びる稜線部分１３２Ｂｂ１から出射する拡散光によって形成される。軸線Ａｘの真上および左下に位置するスポット状領域Ｂ１ｂ、Ｂ２ｂを結ぶ帯状領域Ｂ５ｂは、突起部１３２Ｂの角錐面部１３２Ｂａ１、１３２Ｂａ２間において左上から右下に延びる稜線部分１３２Ｂｂ２から出射する拡散光によって形成される。軸線Ａｘの真上および右下に位置するスポット状領域Ｂ１ｂ、Ｂ３ｂを結ぶ帯状領域Ｂ５ｃは、突起部１３２Ｂの角錐面部１３２Ｂａ１、１３２Ｂａ３間において右上から左下に延びる稜線部分１３２Ｂｂ３から出射する拡散光によって形成される。
【００６９】
また、軸線Ａｘの左上および右上に位置するスポット状領域Ｂ２ａ、Ｂ３ａを結ぶ帯状領域Ｂ５ｄは、突起部１３２Ａの角錐面部１３２Ａａ２、１３２Ａａ３間において上下方向に延びる稜線部分１３２Ａｂ１から出射する拡散光によって形成される。軸線Ａｘの真下および左上に位置するスポット状領域Ｂ１ａ、Ｂ２ａを結ぶ帯状領域Ｂ５ｅは、突起部１３２Ａの角錐面部１３２Ａａ１、１３２Ａａ２間において右上から左下に延びる稜線部分１３２Ａｂ２から出射する拡散光によって形成される。軸線Ａｘの真下および右上に位置するスポット状領域Ｂ１ａ、Ｂ３ａを結ぶ帯状領域Ｂ５ｆは、突起部１３２Ａの角錐面部１３２Ａａ１、１３２Ａａ３間において左上から右下に延びる稜線部分１３２Ａｂ３から出射する拡散光によって形成される。
【００７０】
本実施形態の構成を採用することにより、照明ユニット１１０を点灯したとき、上記第１実施形態の場合に比して、帯状領域Ｂ４ａ、Ｂ４ｂ、Ｂ４ｃと直交する帯状領域Ｂ５ａ、Ｂ５ｂ、Ｂ５ｃ、Ｂ５ｄ、Ｂ５ｅ、Ｂ５ｆが追加して光って見えるようにすることができ、これにより点灯時の見え方に一層の斬新性を持たせることができる。
【００７１】
次に、本願発明の第３実施形態について説明する。
【００７２】
図１２は、本実施形態に係る照明ユニット透光板２３０を示す、図５と同様の図である。
【００７３】
同図に示すように、本実施形態に係る透光板２３０も、その前面２３０ａには、複数の突起部２３２が３方向に連続的に形成されているが、これら各突起部２３２は、正六角錐の上部を陥没させたような形状を有している。
【００７４】
図１３は、１つの突起部２３２を取り出して示す斜視図である。
【００７５】
同図にも示すように、突起部２３２は、３種類の角錐面部２３２ａＡ、２３２ａＢ、２３２ａＣを有している。
【００７６】
角錐面部２３２ａＡは、正六角錐の下部外周面を構成しており、角錐面部２３２ａＢは、この正六角錐の上部を周方向に半ピッチずらした状態で正六角錐状に陥没させた部分の内周面を構成しており、角錐面部２３２ａＣは、角錐面部２３２ａＡ相互間の稜線部分の上部を面取りして角錐面部２３２ａＢに繋げたような三角面で構成されている。
【００７７】
これら角錐面部２３２ａＡ、２３２ａＢ、２３２ａＣは、それぞれ同一形状で６面ずつ形成されている。
【００７８】
各角錐面部２３２ａＡの傾斜角度は、各角錐面部２３２ａＢの傾斜角度よりも大きい値に設定されている。また、互いに隣接する各角錐面部２３２ａＢと各角錐面部２３２ａＣとは面の向きが逆であるが、その傾斜角度は同じ値に設定されている。
【００７９】
互いに隣接する各角錐面部２３２ａＢと各角錐面部２３２ａＣとの間の稜線部分２３２ｂ１は、凸曲線状の断面形状（具体的には単一の円弧状の断面形状）を有している。また、各角錐面部２３２ａＣとその両側に位置する各角錐面部２３２ａＡとの間の稜線部分２３２ｂ２も凸曲線状の断面形状（具体的には単一の円弧状の断面形状）を有している。
【００８０】
図１２に示すように、複数の突起部２３２が延びる３方向の各々における各突起部２３２相互間の境界部分２３４は、凹曲線状の断面形状（具体的には単一の円弧状の断面形状）を有している。
【００８１】
なお、本実施形態においても、各突起部２３２は、その底面（図１２において６本の２点鎖線で囲まれた部分）の外接円の直径が１ｍｍ以下の値（例えば０．５ｍｍ程度）に設定されている。
【００８２】
各境界部分１３４は、その幅が上記直径に対して０．０１〜１倍（例えば０．０５倍程度）に設定されている。また、これら各境界部分１３４は、その凹曲線状の断面形状を構成している円弧の半径が０．００１〜０．５ｍｍの値（例えば０．０３ｍｍ程度）に設定されている。
【００８３】
図１４は、本実施形態に係る照明ユニット２１０を点灯状態で示す正面図である。
【００８４】
同図に示すように、透光板２３０は、上記第１実施形態の透光板３０と同様、同一円周上の６箇所のスポット状領域Ｂ６が等間隔で明るく光って見え、また、これら６箇所のスポット状領域Ｂ６に対して周方向に半ピッチずれ、かつ軸線Ａｘ寄りに位置する６箇所のスポット状領域Ｂ７も明るく光って見える。
【００８５】
さらに、６箇所のスポット状領域Ｂ６を軸線Ａｘの位置を通るようにして２箇所ずつ結ぶ３つの帯状領域Ｂ８と、６箇所のスポット状領域Ｂ７を軸線Ａｘの位置を通るようにして２箇所ずつ結ぶ３つの帯状領域Ｂ９と、互いに隣接するスポット状領域Ｂ６、Ｂ７を結ぶ１２本の帯状領域Ｂ１０も光って見える。
【００８６】
６箇所のスポット状領域Ｂ６は、６箇所の角錐面部２３２ａＡからの出射光によって形成される。また、６箇所のスポット状領域Ｂ７は、６箇所の角錐面部２３２ａＢおよび６箇所の角錐面部２３２ａＣからの出射光によって形成される。
【００８７】
３つの帯状領域Ｂ８は、３方向に延びる境界部分２３４から出射する拡散光によって形成され、３つの帯状領域Ｂ９は、６箇所の稜線部分２３２ｂ１から出射する拡散光によって形成され、１２本の帯状領域Ｂ１０は、１２箇所の稜線部分２３２ｂ２から出射する拡散光によって形成される。
【００８８】
本実施形態の構成を採用することにより、照明ユニット２１０を点灯したとき、上記第１実施形態の場合に比して、より多くの箇所がスポット状領域Ｂ６、Ｂ７として明るく光って見えるとともに、より多くの本数の帯状領域Ｂ８、Ｂ９、Ｂ１０が光って見えるようにすることができ、これにより点灯時の見え方に一層の斬新性を持たせることができる。
【００８９】
次に、本願発明の第４実施形態について説明する。
【００９０】
図１５は、本実施形態に係る照明ユニットの透光板３３０を示す、図４と同様の図であり、図１６は、図１５のXVI 方向矢視図である。
【００９１】
これらの図に示すように、本実施形態に係る透光板３３０も、上記第１実施形態の場合と同様、その後面３３０ｂが平面状に形成されるとともに、その前面３３０ａに複数の突起部３３２が３方向に連続的に形成された構成となっているが、各突起部３３２の形状が上記第１実施形態の場合と異なっている。
【００９２】
すなわち、本実施形態においては、各突起部３３２が円錐状の錐面部３３２ａで構成されており、その頂角は６０〜７０°程度の値に設定されている。
【００９３】
また、これら複数の突起部３３２が延びる３方向の各々における各突起部３３２相互間の境界部分３３４は、凹曲線状の断面形状（具体的には単一の円弧状の断面形状）を有している。
【００９４】
本実施形態においても、発光素子２０から軸線Ａｘに対して所定角度θ２（またはこれに近い角度）で出射した光のみが、透光板３３０から正面方向（またはこれに近い方向）へ出射することとなる。その際、各突起部３３２が円錐状に形成されていることから、軸線Ａｘに関して全周同一条件で透光板３３０から光が出射することとなる。
【００９５】
なお、本実施形態においても、各突起部２３２は、その底面（図１２において６本の２点鎖線で囲まれた部分）の外接円Ｃ２の直径Ｄ２が１ｍｍ以下の値（例えば０．５ｍｍ程度）に設定されている。
【００９６】
各境界部分１３４は、その幅Ｗ２が直径Ｄ２に対して０．０１〜１倍（例えば０．０５倍程度）に設定されている。また、これら各境界部分１３４は、その凹曲線状の断面形状を構成している円弧の半径Ｒ２が０．００１〜０．５ｍｍの値（例えば０．０３ｍｍ程度）に設定されている。
【００９７】
図１７は、本実施形態に係る照明ユニット３１０を点灯状態で示す正面図である。
【００９８】
同図に示すように、透光板３３０は、軸線Ａｘを中心とする円環状領域Ｂ１１が明るく光って見え、また、この円環状領域Ｂ１１を軸線Ａｘの位置を通るようにしてスポーク状に連結する３つの帯状領域Ｂ１２も光って見える。
【００９９】
円環状領域Ｂ１１は、軸線Ａｘに対して所定角度θ２（またはこれに近い角度）で出射した光によって形成され、３つの帯状領域Ｂ１２は、３方向に延びる境界部分３３４から出射する拡散光によって形成される。
【０１００】
本実施形態の構成を採用することにより、照明ユニット３１０を点灯したとき、上記第１実施形態の場合とは全く異なる円環状のパターンで透光板３３０が明るく光って見えるとともに、その内周側の領域がスポーク状に光って見えるようにすることができ、これにより点灯時の見え方に一層の斬新性を持たせることができる。
【０１０１】
上記第４実施形態においては、各突起部３３２が円錐状の錐面部３３２ａで構成されているものとして説明したが、図１８（ａ）に示すように、底面からの頂点へ向かって段階的に頂角が小さくなる３つの円錐状の錐面部４３２ａ１、４３２ａ２、４３２ａ３で構成された突起部４３２を採用することも可能である。
【０１０２】
このような構成を採用した場合には、図１８（ｂ）に示すように、軸線Ａｘを中心として３つの円環状領域Ｂ１３、Ｂ１４、Ｂ１５が同心円状に明るく光って見えるようにすることができる。
【０１０３】
その際、複数の突起部４３２が延びる３方向の各々における各突起部４３２相互間の境界部分を、凹曲線状の断面形状を有する構成とすれば、３重の円環状領域Ｂ１３、Ｂ１４、Ｂ１５を軸線Ａｘの位置を通るようにしてスポーク状に連結する３つの帯状領域Ｂ１６も光って見えるようにすることができる。
【０１０４】
また、図１９（ａ）に示すように、突起部５３２が楕円錐状の錐面部５３２ａで構成されたものとすることも可能である。
【０１０５】
このような構成を採用した場合において、突起部５３２が横長になるように配置すると、図１９（ｂ）に示すように、軸線Ａｘを中心とする縦長の楕円環状領域Ｂ１７が明るく光って見えるようにすることができる。
【０１０６】
その際、複数の突起部５３２が延びる３方向の各々における各突起部５３２相互間の境界部分を、凹曲線状の断面形状を有する構成とすれば、楕円環状領域Ｂ１７を軸線Ａｘの位置を通るようにしてスポーク状に連結する３つの帯状領域Ｂ１８も光って見えるようにすることができる。
【０１０７】
次に、本願発明の第５実施形態について説明する。
【０１０８】
図２０は、本実施形態に係る照明ユニット６１０を示す側断面図であり、図２１は、図２０のXXI 部詳細図である。
【０１０９】
これらの図に示すように、本実施形態に係る照明ユニット６１０も、その基本的な構成は上記第１実施形態の場合と同様であるが、透光板６３０が上記第１実施形態の透光板３０の裏表を逆にして配置された構成となっており、また、ホルダ１６の後方近傍に上下１対の発光素子６２０が追加配置されている点で、上記第１実施形態の場合と異なっている。
【０１１０】
透光板６３０の構成自体は、上記第１実施形態の透光板３０と同様であるが、裏表を逆にして配置されているので、透光板３０の後面３０ｂが前面６３０ａを構成しており、透光板３０の前面３０ａが後面６３０ｂを構成しており、この後面６３０ｂに透光板３０の突起部３２と同様の突起部６３２が形成されている。
【０１１１】
このように透光板６３０が上記第１実施形態の透光板３０に対して裏表に配置されているので、発光素子２０からの出射光が側面視において透光板６３０から正面方向へ出射する所定角度θ３は上記第１実施形態の所定角度θ１よりも小さい値になっている。
【０１１２】
上下１対の発光素子６２０は、軸線Ａｘの真上および真下において軸線Ａｘへ向けて配置されている。これら各発光素子６２０は、ランプボディ１２に支持されている。
【０１１３】
各発光素子６２０は、透光板６３０の後方近傍に配置されているので、その出射光は、透光板６３０の後面６３０ｂに到達するといずれかの突起部６３２から透光板６３０に入射して、その突起部６３２の錐面部で全反射により内面反射して、透光板６３０の前面６３０ａから前方へ向けて出射される。
【０１１４】
本実施形態の構成を採用した場合においても、上記第１実施形態の場合と略同様の作用効果を得ることができる。
【０１１５】
また本実施形態においては、各発光素子６２０の追加点灯により、透光板６３０の見え方を上記第１実施形態の場合とは異なったものとすることができる。
【０１１６】
その際、各発光素子６２０を点灯したとき、透光板６３０からの光出射位置が該発光素子６２０から離れるほど、図２１に２点鎖線で示すように該発光素子６２０からの光路長は長くなる。したがって、これにより透光板６３０の見え方に奥行き感を持たせることができる。
【０１１７】
なお、上記各実施形態およびその変形例において諸元として示した数値は一例にすぎず、これらを適宜異なる値に設定してもよいことはもちろんである。
【０１１８】
また、本願発明は、上記各実施形態およびその変形例に記載された構成に限定されるものではなく、これ以外の種々の変更を加えた構成が採用可能である。
【符号の説明】
【０１１９】
１０、１１０、２１０、３１０、６１０  照明ユニット
１２  ランプボディ
１４  アウターカバー
１６  ホルダ
２０  発光素子（光源）
２２  基板
３０、１３０、２３０、３３０、６３０  透光板
３０ａ、２３０ａ、３３０ａ、６３０ａ  前面
３０ｂ、３３０ｂ、６３０ｂ  後面
３２、３２Ａ、３２Ｂ、１３２、１３２Ａ、１３２Ｂ、２３２、３３２、４３２、５３２、６３２  突起部
３２ａ、３２Ａａ１、３２Ａａ２、３２Ａａ３、３２Ｂａ１、３２Ｂａ２、３２Ｂａ３、１３２ａ、１３２Ａａ１、１３２Ａａ２、１３２Ａａ３、１３２Ｂａ１、１３２Ｂａ２、１３２Ｂａ３、２３２ａＡ、２３２ａＢ、２３２ａＣ  角錐面部
３４、３４Ａ、３４Ｂ、３４Ｃ、２３４、３３４  境界部分
１３２ｂ、１３２Ａｂ１、１３２Ａｂ２、１３２Ａｂ３、１３２Ｂｂ１、１３２Ｂｂ２、１３２Ｂｂ３、２３２ｂ１、２３２ｂ２  稜線部分
３３２ａ、４３２ａ１、４３２ａ２、４３２ａ３、５３２ａ  錐面部
６２０  発光素子
Ａｘ  軸線
Ｂ１ａ、Ｂ１ｂ、Ｂ２ａ、Ｂ２ｂ、Ｂ３ａ、Ｂ３ｂ、Ｂ６、Ｂ７  スポット状領域
Ｂ４ａ、Ｂ４ｂ、Ｂ４ｃ、Ｂ５ａ、Ｂ５ｂ、Ｂ５ｃ、Ｂ５ｄ、Ｂ５ｅ、Ｂ５ｆ、Ｂ８、Ｂ９、Ｂ１０、Ｂ１２、Ｂ１６、Ｂ１８  帯状領域
Ｂ１１、Ｂ１３、Ｂ１４、Ｂ１５  円環状領域
Ｂ１７  楕円環状領域
Ｃ  曲線
Ｃ１、Ｃ２  外接円
Ｄ１、Ｄ２  直径
Ｌ  直線
Ｒ１  半径
Ｗ１、Ｗ２  幅
θ１、θ２、θ３  所定角度
【図１】
0006512696.tif 000002
【図２】
0006512696.tif 000003
【図３】
0006512696.tif 000004
【図４】
0006512696.tif 000005
【図５】
0006512696.tif 000006
【図６】
0006512696.tif 000007
【図７】
0006512696.tif 000008
【図８】
0006512696.tif 000009
【図９】
0006512696.tif 000010
【図１０】
0006512696.tif 000011
【図１１】
0006512696.tif 000012
【図１２】
0006512696.tif 000013
【図１３】
0006512696.tif 000014
【図１４】
0006512696.tif 000015
【図１５】
0006512696.tif 000016
【図１６】
0006512696.tif 000017
【図１７】
0006512696.tif 000018
【図１８】
0006512696.tif 000019
【図１９】
0006512696.tif 000020
【図２０】
0006512696.tif 000021
【図２１】
0006512696.tif 000022